(57)【要約】【課題】現在のバッテリ容量又は予想されるバッテリ容量に基づいて「スリープ」レベルを選択するネットワークノードを提供すること。【解決手段】スリープレベルは、問題となるノードがパーティになる通信のタイプと、この無線ネットワークノードが他のデバイスを従事させることになる物理半径を定義する。この問題となるノードは、その選択されたスリープレベルをこのネットワークの残りに伝え、その結果、これらの他のネットワークノードは、それに従ってこのノードと通信を行うことができる。【選択図】図６
2006203868.tif 000002
【特許請求の範囲】
【請求項１】
複数のネットワークノードを有する無線ネットワーク上で、残存電力容量を有する消耗可能な電源を備えた第１の無線ネットワークノードにおける電力節約方法であって、
前記第１の無線ネットワークノードにおいて、前記消耗可能な電源の前記残存電力容量を検出するステップと、
前記消耗可能な電源の前記残存電力容量を複数のスリープレベルしきい値と比較するステップであって、前記スリープレベルしきい値は、それぞれ異なる各残存電力容量レベルに関連づけられているとともに各スリープレベルに関連づけられ、各スリープレベルは、その内部で前記第１の無線ネットワークノードが他のデバイスを従事させるように物理半径を定義する少なくとも１つの要件を有するステップと、
前記比較するステップに基づいて、前記第１の無線ネットワークノードが関わるスリープレベルを選択するステップと、
前記選択されたスリープレベルの識別表示を前記複数のネットワークノードの１つ又は複数のネットワークノードに対して送信するステップと
を有し、前記第１の無線ネットワークノードへの通信及びその後続の通信が、前記選択されたスリープレベルの前記少なくとも１つの要件と整合していることを特徴とする第１の無線ネットワークノードにおける電力節約方法。
【請求項２】
前記スリープレベルの前記少なくとも１つの要件は、前記第１の無線ネットワークノードが従事することになる通信のタイプを規定することを特徴とする請求項１に記載の第１の無線ネットワークノードにおける電力節約方法。
【請求項３】
連続する前記スリープレベルに関連する前記物理半径は、単調に変化することを特徴とする請求項１に記載の第１の無線ネットワークノードにおける電力節約方法。
【請求項４】
前記複数のスリープレベルのそれぞれは、前記第１の無線ネットワークノードが従事することになる通信の各タイプを規定する要件を含むことを特徴とする請求項２に記載の第１の無線ネットワークノードにおける電力節約方法。
【請求項５】
前記無線ネットワークは、無線デスクトップデバイスクラスタを含むことを特徴とする請求項１に記載の第１の無線ネットワークノードにおける電力節約方法。
【請求項６】
前記無線ネットワークは、無線大衆消費電子製品ネットワークを含むことを特徴とする請求項１に記載の第１の無線ネットワークノードにおける電力節約方法。
【請求項７】
前記無線ネットワークは、無線ホーム娯楽ネットワークを含むことを特徴とする請求項１に記載の第１の無線ネットワークノードにおける電力節約方法。
【請求項８】
前記無線ネットワークは、アドホックネットワークを含むことを特徴とする請求項１に記載の第１の無線ネットワークノードにおける電力節約方法。
【請求項９】
ＵＷＢ伝送は、時間スロット（ｔｅｍｐｏｒａｌ  ｓｌｏｔ）に分割され、前記選択されたスリープレベルの識別表示を送信するステップは、選択された時間スロット中において前記識別表示を送信することを特徴とする請求項１に記載の第１の無線ネットワークノードにおける電力節約方法。
【請求項１０】
前記選択された時間スロットは、ビーコンスロット及び管理データスロットからなる群から選択されることを特徴とする請求項８に記載の第１の無線ネットワークノードにおける電力節約方法。
【請求項１１】
ＵＷＢ伝送は、スペクトル区分に分割され、前記選択されたスリープレベルの識別表示を送信するステップは、選択されたスペクトル区分中において前記識別表示を送信することを特徴とする請求項１に記載の第１の無線ネットワークノードにおける電力節約方法。
【請求項１２】
前記選択されたスリープレベルの識別表示を送信するステップは、前記第１の無線ネットワークノードの前記ネットワークに対する接続中に前記識別表示を送信することを特徴とする請求項１に記載の第１の無線ネットワークノードにおける電力節約方法。
【請求項１３】
前記選択されたスリープレベルの識別表示を送信するステップは、前記第１の無線ネットワークノードの前記ネットワークに対する接続後に前記識別表示を送信することを特徴とする請求項１に記載の第１の無線ネットワークノードにおける電力節約方法。
【請求項１４】
前記選択されたスリープレベルの識別表示を送信するステップは、定期的に前記識別表示を送信することを特徴とする請求項１２に記載の第１の無線ネットワークノードにおける電力節約方法。
【請求項１５】
複数のネットワークノードを有する無線ネットワーク上で、残存電力容量を有する消耗可能な電源を備えた第１の無線ネットワークノードにおける電力節約方法を実施するためのコンピュータ実行可能命令を有するコンピュータ読み取り可能な媒体であって、前記命令は、
前記第１の無線ネットワークノードにおいて、前記消耗可能な電源の前記残存電力容量を検出するステップと、
前記消耗可能な電源の前記残存電力容量を複数のスリープレベルしきい値と比較するステップであって、前記スリープレベルしきい値は、それぞれ異なる各残存電力容量レベルに関連づけられているとともに各スリープレベルに関連づけられ、各スリープレベルは、その内部で前記第１の無線ネットワークノードが他のデバイスを従事させるように物理半径を定義する少なくとも１つの要件を有するステップと、
前記比較するステップに基づいて、前記第１の無線ネットワークノードが関わるスリープレベルを選択するステップと、
前記選択されたスリープレベルの識別表示を前記複数のネットワークノードの１つ又は複数のネットワークノードに対して送信するステップと
のための命令を含み、それによって前記第１の無線ネットワークノードへの通信及びその後続の通信が、前記選択されたスリープレベルの前記少なくとも１つの要件と整合していることを特徴とするコンピュータ読み取り可能な媒体。
【請求項１６】
前記スリープレベルの前記少なくとも１つの要件は、前記第１の無線ネットワークノードが従事することになる通信のタイプを規定することを特徴とする請求項１５に記載のコンピュータ読み取り可能な媒体。
【請求項１７】
前記複数のスリープレベルのそれぞれは、前記第１の無線ネットワークノードが従事することになる通信の各タイプを規定する要件を含むことを特徴とする請求項１６に記載のコンピュータ読み取り可能な媒体。
【請求項１８】
前記無線ネットワークは、無線デスクトップデバイスクラスタを含むことを特徴とする請求項１５に記載のコンピュータ読み取り可能な媒体。
【請求項１９】
前記無線ネットワークは、無線大衆消費電子製品ネットワークを含むことを特徴とする請求項１５に記載のコンピュータ読み取り可能な媒体。
【請求項２０】
前記無線ネットワークは、無線ホーム娯楽ネットワークを含むことを特徴とする請求項１５に記載のコンピュータ読み取り可能な媒体。
【請求項２１】
前記無線ネットワークは、アドホックネットワークを含むことを特徴とする請求項１５に記載のコンピュータ読み取り可能な媒体。
【請求項２２】
連続する前記スリープレベルに関連する前記物理半径は、単調に変化することを特徴とする請求項１５に記載のコンピュータ読み取り可能な媒体。
【請求項２３】
前記無線ネットワークは、無線デスクトップデバイスクラスタと無線大衆消費電子製品ネットワークと無線ホーム娯楽ネットワークとアドホックネットワークからなる群から選択されるネットワークタイプを含むことを特徴とする請求項１５に記載のコンピュータ読み取り可能な媒体。
【請求項２４】
ＵＷＢ伝送は、時間スロットに分割され、前記選択されたスリープレベルの識別表示を送信するステップは、選択された時間スロット中において前記識別表示を送信することを特徴とする請求項１５に記載のコンピュータ読み取り可能な媒体。
【請求項２５】
前記選択された時間スロットは、ビーコンスロットと管理データスロットからなる群から選択されることを特徴とする請求項２４に記載のコンピュータ読み取り可能な媒体。
【請求項２６】
ＵＷＢ伝送は、スペクトル区分に分割され、前記選択されたスリープレベルの識別表示を送信するステップは、選択されたスペクトル区分中において前記識別表示を送信することを特徴とする請求項１５に記載のコンピュータ読み取り可能な媒体。
【請求項２７】
前記選択されたスリープレベルの識別表示を送信するステップは、前記第１の無線ネットワークノードの前記ネットワークに対する接続中に前記識別表示を送信することを特徴とする請求項１５に記載のコンピュータ読み取り可能な媒体。
【請求項２８】
前記選択されたスリープレベルの識別表示を送信するステップは、前記第１の無線ネットワークノードの前記ネットワークに対する接続後に前記識別表示を送信することを特徴とする請求項１５に記載のコンピュータ読み取り可能な媒体。
【請求項２９】
前記選択されたスリープレベルの識別表示を送信するステップは、定期的に前記識別表示を送信することを特徴とする請求項２８に記載のコンピュータ読み取り可能な媒体。
【請求項３０】
残存容量を有する消耗可能な電源を備えた無線ネットワークノードであって、
１つ又は複数の他の無線デバイスが、前記無線ネットワークノードの通信範囲内に存在することを検出し、前記１つ又は複数の他の検出されたノードとの各接続を確立するための接続モジュールと、
前記消耗可能な電源の前記残存容量を評価し、複数の使用可能なスリープレベルから前記残存容量に基づいて前記無線ネットワークノードについての、各スリープレベルが、その内部で前記無線ネットワークノードが他のデバイスを従事させるように物理半径を定義する少なくとも１つの要件を含むスリープレベルを決定し、前記決定されたスリープレベルの指示を前記１つ又は複数の他の無線デバイスに対して送信するための電力管理モジュールと
を備えたことを特徴とする無線ネットワークノード。
【請求項３１】
前記決定されたスリープレベルの前記指示が、前記１つ又は複数の他の無線デバイスに対して送信された後に、前記無線ネットワークノードへの通信及びその後続の通信が、前記決定されたスリープレベルの前記少なくとも１つの要件と整合していることを特徴とする請求項３０に記載の無線ネットワークノード。
【請求項３２】
前記スリープレベルの前記少なくとも１つの要件は、前記無線ネットワークノードが従事することになる通信のタイプを規定することを特徴とする請求項３０に記載の無線ネットワークノード。
【発明の詳細な説明】
【技術分野】
【０００１】
本発明は、無線ネットワークノードにおける電力節約方法及び無線ネットワークノードに関し、より詳細には、電力制限されたネットワーク化無線コンピューティングデバイスにおける超広帯域電力節約技術に関する。
【背景技術】
【０００２】
広範に使用可能なコンピューティングデバイスにより導かれたデジタル革命が、今やかなり進行しており、第２の波が今では現れている。ユーザが、よりモバイル性に優れた体験及び／又はあまり混乱のない体験を強く求めるので、この第２の波は、これらの様々な使用可能なコンピューティングデバイスの機能拡張された相互接続性に関与している。例えば、従来からのデスクトップＰＣは、多大な有用性を提供することができる。しかし、このユーザは、このマシンの大きさ、ならびにその様々な配線接続により、所定の位置に束縛される。
【０００３】
今日、多数のハンドヘルドデバイス及び小型デバイスは、これらのデバイスのユーザにとってのかなりのコンピューティング能力を実現し、無線形式においてもそのようにしており、それによって移動の自由を可能にしている。例えば、セル電話、携帯型個人情報端末、ノートブックコンピュータ及び他のデバイスは、無線で情報をやりとりすることができ、持ち運びが可能である。デスクトップコンピュータ、家庭用電気機器、娯楽用デバイスなどのより大型のデバイスでは、移動性が関心事でないときには、無線の接続性により、依然として配線による混乱からの自由が可能になる。
【発明の開示】
【発明が解決しようとする課題】
【０００４】
しかし、無線デバイスは、これらの無線デバイスの性質によって、しばしば、使用している間に外部電源に絶えず接続するための電源ケーブル又は他の備えを欠くことがあり、したがって、バッテリ電力だけによってサポートする必要がある。バッテリ技術は、最近進歩してきており、より高い容量のバッテリ（例えば、リチウムイオンバッテリ（Ｌｉｔｈｉｕｍ  Ｉｏｎ  ｂａｔｔｅｒｙ）及びリチウムポリマバッテリ（Ｌｉｔｈｉｕｍ  Ｐｏｌｙｍｅｒ  ｂａｔｔｅｒｙ））が使用可能になっているが、バッテリ電力供給の無線デバイスにおけるエネルギー消費を節約し、適切に管理するための必要性が依然として継続してかなり存在している。
【０００５】
本発明は、このような問題に鑑みてなされたもので、その目的とするところは、無線ネットワークノードにおける電力節約方法及び無線ネットワークノードを提供することにある。
【課題を解決するための手段】
【０００６】
本発明の実施形態は、アドホックネットワークデバイス（ａｄ  ｈｏｃ  ｎｅｔｗｏｒｋ  ｄｅｖｉｃｅ）が、メンバーデバイス（ｍｅｍｂｅｒ  ｄｅｖｉｃｅ）のバッテリ電力を協調的に節約できるようにすることにより、従来技術に固有のこれらの欠点を解決している。特に、長いバッテリ寿命は、ＵＷＢデバイスにとって重要である。本発明において、ネットワーク中のデバイスは、協調して、できるだけ大量の電力を節約する。一般的に、デバイスは、バラバラのバッテリ容量又は電力蓄積量を有することになる。したがって、一部のデバイスは、非常に小さな電力容量を有することもあるが、他のデバイスは、より長い間、通信を行うことができる。
【０００７】
本発明において、より長い公称バッテリ寿命を有する（又は外部電源にプラグで接続された）デバイスは、より多くの処理負荷及び通信負荷を担って、より限られたバッテリ寿命を有するデバイスの節電を助ける。本発明において、ネットワークノードは、その現行のバッテリ容量又は予測されるバッテリ容量に基づいて「スリープ（ｓｌｅｅｐ；省電力のためにパソコンを一時停止する機能）」レベルを選択する。このスリープレベルは、問題（ｑｕｅｓｔｉｏｎ）となるノードがパーティ（ｐａｒｔｙ）となり、対象（ｉｎｔｅｒｅｓｔ）となるノードが通信を行うことになる各通信半径（ｃｏｍｍｕｎｉｃａｔｉｏｎ  ｒａｄｉｕｓ）を定義する（ｄｅｆｉｎｅ）ことになる通信のタイプを規定している。通信の半径を制限することは、主として送信電力の節約を対象にしているが、処理能力も節約することができる。この問題となるノードは、このネットワークの残りにその選択されたスリープレベルを伝え、その結果、他のネットワークノードは、それに従ってこのノードと通信を行うことができる。
【０００８】
本発明の追加の特徴及び利点については、添付図面を参照して進められる例示の実施形態の以下の詳細な説明から明らかになろう。
【０００９】
添付の特許請求の範囲は、特に本発明の特徴について述べているが、本発明及びその利点については、添付図面を併せ解釈された以下の詳細な説明から最もよく理解される。
【発明を実施するための最良の形態】
【００１０】
本発明の実施形態については、本明細書中でＵＷＢ（Ｕｌｔｒａ  Ｗｉｄｅｂａｎｄ；超広帯域）無線通信技術に関して説明することにするが、本明細書中で説明しているこれらの技術は、同様に他の通信技術を実装するデバイスに関しても使用可能である。ＵＷＢは、時々代わりにインパルス技術、ベースバンド技術又はゼロキャリア技術とも呼ばれる。ＵＷＢは、広い周波数スペクトルにまたがって非常に短い超低電力無線信号を伝送する無線通信技術である。ＵＷＢレシーバは、このトランスミッタが送信する特定のパルスシーケンスを認識することにより、この受信されたバーストを変換することができる。ＦＣＣは、３．１ＧＨｚから１０．６ＧＨｚ帯域における、５００ＭＨｚよりも多くを占める任意の信号を含み、又は２０％を超える部分帯域を有するものとしてＵＷＢを定義している。ＵＷＢ信号の帯域幅は、一般的にこの中心周波数の約２５％である。例えば、「２ＧＨｚ」ＵＷＢ信号は、５００ＭＨｚの帯域幅を有することができる。ＵＷＢの１つの利点は、ラウンドトリップ遅延時間を使用して他の超広帯域デバイスまでの範囲を検出することができる機能である。
【００１１】
ＵＷＢのために許可されるスペクトルは、７５００ＭＨｚである。これは、米国における他の技術のためのスペクトルに比べてかなり大きい。例えば、２．４ＧＨｚにおけるＩＳＭは、８３．５ＭＨｚのスペクトルを含んでいるが、５ＧＨｚにおけるＵ−ＮＩは、（５５５ＭＨｚまで増大させることになっている）３００ＭＨｚを占めている。ＵＷＢの広いスペクトルにより、ＵＷＢは、ブロードバンド接続が必要とされるＰＣクラスタシナリオ及びホームクラスタシナリオにおいて役に立つことが可能である。例えば、ＰＣクラスタは、すべてが無線で相互接続されたＰＣ、ストレージデバイス、ドッキングステーションなどのＩ／Ｏデバイス、及び／又はプリンタや他のペリフェラルを含むことができる。ホームクラスタにおいては、ＰＣやラップトップなどのコンピュータは、デジタルカメラ、ビデオカメラ、ＭＰ３プレーヤ、プロジェクタ、ＴＶなどの大衆消費電子製品デバイスに無線で接続することができ、高速なコンテンツ転送を可能にしている。別の可能性のあるホームクラスタ環境は、自動車又は他の乗り物の内部に存在する。大衆消費電子製品及び娯楽アプリケーションについての典型的な帯域幅要件は、以下のように、すなわち、ＨＤＴＶについての１９Ｍｂｐｓ、ＤＶＤプレーヤについての１０Ｍｂｐｓ、ＭＰＥＧ２についての１〜８Ｍｂｐｓ、ＭＰＥＧ１についての１．５Ｍｂｐｓ、ブロードバンドアクセスについての１〜１０Ｍｂｐｓ、ビデオ会議についての１〜２Ｍｂｐｓ、ＴＶ端末についての２〜５Ｍｂｐｓ、ステレオＣＤプレーヤについての１．４Ｍｂｐｓ、コンピュータネットワークについての１〜１０Ｍｂｐｓ、電話についての８〜６４ｋｂｐｓである。
【００１２】
ＵＷＢ信号の電力は、一般的に非常に低い。例えば、ＵＷＢ信号は、Ｗｉ−Ｆｉ  ＲＦ伝送のために現在使用されている信号に比べて１０００倍程度低くすることができる。この低電力要件は、ＵＷＢ信号の検出機能の容易さ、すなわち、この信号をバックグラウンドノイズから抽出することができる容易さによって可能にすることができる。
【００１３】
ＵＷＢのために使用される変調技術は、一般的にＢＰＳＫ（ｂｉｎａｒｙ  ｐｈａｓｅ−ｓｈｉｆｔ  ｋｅｙｉｎｇ２相位相偏移変調）である。ＢＰＳＫにおいては、各パルスは、０度、又は１８０度すなわち正しい方向で、又は反転して送信される。それ故に、ＢＰＳＫ変調は、このスペクトルの使用において効率的であり、匹敵するパルス位置変調システムの帯域幅の約半分を必要とするだけである。
【００１４】
ＵＷＢ技術に関する現在の研究は、無線ＰＡＮ（ｐｅｒｓｏｎａｌ  ａｒｅａ  ｎｅｔｗｏｒｋ；パーソナルエリアネットワーク）、すなわち、ＩＥＥＥ８０２．１５．３ａのための規格の開発に焦点が当てられている。このタスクグループの目的は、ＰＯ（ｐｅｒｓｏｎａｌ  ｏｐｅｒａｔｉｎｇ  ｓｐａｃｅ；パーソナルオペレーティング空間）内の又はＰＯに入る無線デバイス間の、低い複雑さ、低コスト、低電力消費、及び高データレートの無線接続性についての仕様を提供することにある。このデータレートは、ＷＰＡＮ（ｗｉｄｅ  ｐｅｒｓｏｎａｌ  ａｒｅａ  ｎｅｔｗｏｒｋ；ワイドパーソナルエリアネットワーク）通信についての１組の民生用マルチメディア業界のニーズを満たすために十分に高く（１１０Ｍｂｐｓよりも高く）する必要がある。現在の要件は、以下のようにすなわち、１０メートルにおけるデータレート−１１０Ｍｂｐｓ；４メートルにおけるデータレート−２００Ｍｂｐｓ；１メートルにおけるオプションとしてのデータレート−４３０Ｍｂｐｓ；電力消費−１００〜２５０ｍＷ；ビットエラー率−１０−５；同じ場所に配置した（ｃｏ−ｌｏｃａｔｅｄ）協調を欠いたピコネット−４；干渉機能−ＩＥＥＥシステムに対して堅牢；及び共存機能−ＩＥＥＥシステムにとって低減された干渉である。
【００１５】
以下、図面を参照して本発明の実施形態について説明する。  
図１乃至図３は、本発明の実施形態を使用することができるいくつかのデバイス環境を説明するための図で、図１は、無線デスクトップデバイスクラスタを示す概略図で、図２は、アドホック無線大衆消費電子製品ネットワークの概略図で、図３は、無線ホーム娯楽ネットワークの概略図である。
【００１６】
図１に示す例示のデバイスは、プリンタ１０１とモニタ１０３とカメラ１０５とゲームコントローラ１０７とビデオカメラ１０９とマウス１１１とキーボード１１３とタブレット１１５とを備えている。これらの様々なデバイスは、パーソナルコンピュータ１１７を介して無線で通信を行う。各デバイスの無線プロトコルは、同じプロトコルである必要はない。例えば、ＩＥＥＥ１３９４、ＵＳＢ２．０、ＵＳＢ１．０及びブルートゥース（Ｂｌｕｅｔｏｏｔｈ）を含めて、いくつかのプロトコルが示されている。
【００１７】
図２は、アドホック無線大衆消費電子製品ネットワークの概略図である。このアドホック無線大衆消費電子製品ネットワークは、フラット画面テレビジョン２０１とビデオカメラ２０３とモデム２０５とパーソナルビデオプレーヤ２０７とデジタルカメラ２０９とプリンタ２１１とパーソナルコンピュータ２１３を備えている。これらの様々なデバイスは、ＩＥＥＥ１３９４及び／又はＵＳＢ２．０など適切な無線プロトコルによって相互接続されている。
【００１８】
図３は、無線ホーム娯楽ネットワークの概略図である。この無線ホーム娯楽ネットワークは、テレビジョン３０１とスピーカ３０３とゲーミングデバイス３０５とマルチメディアスタック３０７を備えている。このマルチメディアスタック３０７は、ＨＤＴＶレシーバとケーブルボックスとＴｉｖｏボックスとハードドライブとＤＶＤプレーヤとホームシアタモジュール（ｈｏｍｅ  ｔｈｅａｔｒｅ  ｍｏｄｕｌｅ）を備えている。
【００１９】
ＵＷＢ信号についての２つのアプローチ、すなわち、シングルバンドアプローチ（ｓｉｎｇｌｅ  ｂａｎｄ  ａｐｐｒｏａｃｈ）及びマルチバンドアプローチ（ｍｕｌｔｉ−ｂａｎｄ  ａｐｐｒｏａｃｈ）が現在提案されている。このシングルバンドアプローチは、このアプローチがその７．５ＧＨｚ全体を１つのキャリアとして使用することを提案している点において、あまり望ましくない。このマルチバンドアプローチは、この７．５ＧＨｚを等しいチャネルへとセグメント化する。この基本的な前提は、複数の周波数帯域を使用して、複数のＵＷＢ信号を同時に伝送することによりこのＵＷＢスペクトルを効率的に利用することである。これらの信号は、このＵＷＢスペクトル内の異なる周波数で動作するので、互いに干渉することはない。これらの信号のそれぞれは、同時に伝送して、非常に高いデータレートを達成することができ、また、多重アクセスの手段として使用して、それにより複数のユーザが同時に通信を行うことが可能になるようにすることもできる。いくつかの標準のデジタル変調技術が、個別の各ＵＷＢ信号上に施されている可能性がある。これらの被変調ＵＷＢ信号の出力を、送信の前に一緒に追加することができる。
【００２０】
マルチバンドＵＷＢシステム設計は、シングルバンド設計に比べてさらにスケーラブルで適応可能であること、８０２．１１ａなどのシステムとのより良好な共存特性、このマルチバンドＵＷＢシステム設計がさらに従来の無線設計技術を活用しているのでより低いリスクで実装できることを含めて、いくつかの利点を有する。これらの利点については、シングルバンド設計と同様な複雑さと電力消費レベルを維持しながら保持することができる。
【００２１】
スケーラブルであり適応可能なことに関しては、このマルチバンドアプローチの利点は、例えば、低ビットレートシステムが、少しの帯域しか使用しないこともでき、高ビットレートシステムが、多数の帯域を使用することができることである。他の利点は、ＷｉＦｉ及びブルートゥースが使用する２．４ＧＨｚ及び５ＧＨｚの帯域について起こるように、これらが同じ調和したスペクトル割付けを有さない場合には、世界的中における異なる無線調整に対して適応可能な可能性があることである。
【００２２】
共存性に関しては、このマルチバンドアプローチの別の利点は、ＩＥＥＥ８０２．１１ａなど他のサービスとの共存のレベルを増大させることである。レシーバは、この影響を受けた帯域を取り除くことにより、帯域内干渉を動的に調整することができ、あるいはトランスミッタは、極めて接近した他のサービスがすでに使用している帯域においては送信を回避することもできる。
【００２３】
最後に、このマルチバンド技術は、このＵＷＢスペクトルと共に使用するために修正された、よく知られている無線通信スキームに基づいているので、この技術が提示する実装リスクは、より低いものになる。これにより、マルチバンドは、大量に採用されるために標準技術と複数のベンダを必要とする商用用途では、最良の候補になる。
【００２４】
マルチバンドシステムにより、これらの帯域の適応可能な選択が、良好な干渉堅牢性と共存特性を実現することができるようになる。このシステムが、例えば、８０２．１１ａシステムの存在を検出するとき、このシステムは、５．３５ＧＨｚ又は５．８５ＧＨｚに中心があるこれらの帯域の使用を回避することができる。この同じ特徴を利用して、米国の外における異なるスペクトル割付けのための準備をすることも可能である。極端に感度の良いシステムとこのスペクトルを共有するこれらの帯域は、回避することができる。
【００２５】
シングルバンドＵＷＢシステムは、同じ結果を達成するためにノッチフィルタ（ｎｏｔｃｈ  ｆｉｌｔｅｒ）を使用する必要があることになる。これらのノッチフィルタがこのレシーバの雑音指数を増大させ、あるいはより高性能の低雑音増幅器（Ｌｏｗ  Ｎｏｉｓｅ  Ａｍｐｌｉｆｉｅｒ）を必要とするので、ノッチフィルタは、理想的な解決方法ではない。ノッチフィルタに伴う問題は、ノッチフィルタが適応可能ではなく、オフチップの専用のハードウェアを用いて実現する必要があることである。さらに、ほとんどの場合におけるノッチフィルタは、受信パルスを歪ませ、この影響について補償するためにさらに複雑にする必要がある。
【００２６】
図４は、本発明の実施形態を組み込むために適した例示の一般化されたコンピュータネットワーキング環境を示す概略図である。この場合に、このＵＷＢ  ＭＡＣは、図４に示すいくつかのコンポーネントから構成される。この基本コンポーネントは、このデバイス、すなわち、ＤＥＶ４０１である。１つのＤＥＶ４０３は、一般的にピコネット４００のＰＮＣ（ｐｉｃｏｎｅｔ  ｃｏｏｒｄｉｎａｔｏｒピコネットコーディネータ）の役割を担うことになる。
【００２７】
ＰＮＣ４０３は、以下の機能を実施し、すなわち、このビーコンを用いてピコネット４００についての基本タイミングを提供し、ＱｏＳ（ｑｕａｌｉｔｙ  ｏｆ  ｓｅｒｖｉｃｅサービス品質）要件を管理し、電力節約レベルを管理し、ピコネット４００についてのセキュリティ及びアクセス制御を実装する。ピコネット４００は、あらかじめ計画することなく形成され、ピコネット４００が必要とされる限りはずっと形成されるので、このタイプのオペレーションは、アドホックネットワークと呼ばれる。
【００２８】
このＭＡＣにより、ＤＥＶ４０１は、副次的ピコネット（ｓｕｂｓｉｄｉａｒｙ  ｐｉｃｏｎｅｔ）の形成を要求することができるようになる。最初のピコネット４００は、親ピコネット（ｐａｒｅｎｔ  ｐｉｃｏｎｅｔ）と呼ばれる。この副次的ピコネットは、ＤＥＶ４０１を使用して親ＰＮＣ４０３に関連づける方法に応じて子ピコネット（ｃｈｉｌｄ  ｐｉｃｏｎｅｔ）又は隣人ピコネット（ｎｅｉｇｈｂｏｒ  ｐｉｃｏｎｅｔ）と呼ばれる。子ピコネット及び隣人ピコネットは、一括して従属ピコネット（ｄｅｐｅｎｄｅｎｔ  ｐｉｃｏｎｅｔ）と呼ばれるが、これは、これらのピコネットが親ＰＮＣ４０３に依存して従属ピコネットのオペレーションのためにチャネル時間を割り付けるからである。独立ピコネット（ｉｎｄｅｐｅｎｄｅｎｔ  ｐｉｃｏｎｅｔ）は、どのような従属ピコネットももたないピコネットである。
【００２９】
非常に長いバッテリ寿命は、ＵＷＢデバイス（ＰＮＣ又はＤＥＶ）についての１つの主要な特徴と考えられるので、これらのデバイスが、ピコネット設定において協調して、できるだけ多くの電力を節約することが重要である。所与のピコネットでは、デバイスは等しくないバッテリ寿命を有することになる。すなわち、あるデバイスは、非常に短い寿命を有することになるが、他のデバイスは、より長い間、通信を行うことができることもある。従来から、無線デバイスは、この特定のクライアントに対してアドレス指定されたブロードキャストチャネル及びアクティビティ量に基づいてスリープモードに入る。
【００３０】
上述したように、低い電力消費と長いバッテリ寿命は、ＵＷＢデバイスの重要なアトリビュートである。本発明においては、ネットワークメンバは、これらのネットワークメンバ間で協調して、全体として電力を節約する。例えば、より長い公称バッテリ寿命を有する（又は、外部電源にプラグで接続された）デバイスは、より多くの処理負荷及び通信負荷を負担することができ、それによってバッテリ寿命のより制限されたデバイスが電力を節約する助けを行う。
【００３１】
例えば、本発明においては、ネットワークノードは、その現在のバッテリ容量又は予想されるバッテリ容量に基づいて、入るべき「スリープ」レベルを選択することができる。問題となっているノードは、その選択されたスリープレベルをこのネットワークの残りに直接又は間接に伝え、その結果、他のネットワークノードは、それに従ってこのノードと通信を行うことができる。本発明によるこの構成については、以下でさらに詳細に説明することにする。
【００３２】
図５は、本発明の実施形態による、ネットワーク内でスリープレベルを選択しブロードキャストするプロセスに対応するフローチャートを示す図で、このネットワーク中における可能性のあるノードの観点からアドホックネットワークを形成するためのプロセスを示している。明確にするために、図５は、本発明の実施形態に焦点を当て、当業者によく知られているネットワーキングの詳細については省略している。図５の説明では、図１２の記述に関して進められることになるが、図１２は、本発明の実施形態に一般的に含まれる部分に関してノードを概略的に示している。
【００３３】
フローチャート５００のステップ５０１において、図４に示したノード４０１などのノードは、１つ又は複数の他のＵＷＢデバイスが、このノードの伝送範囲内にあることを検出する。この検出は、ノード１２００のモジュール１２０１や他のエンティティなどの接続モジュールによって実施することができる。ステップ５０３においては、対象となるノードは、当業者に知られているはずの方法で、この１つ又は複数の他の検出されたノードを用いて接続モジュール１２０１を介して接続を確立する。接続が確立された後に、この対象となるノードは、ステップ５０５において電力管理モジュール１２０３を介して適切なスリープレベルを決定し、ステップ５０７において接続モジュール１２０１を使用してこの１つ又は複数の他のノードに対してそのスリープレベルを伝送する。ノード１２００の無線接続ファシリティを使用する、アプリケーション１２０５などのアプリケーションは、上述したようにこの接続及びスリープレベルについて知り、又はこれらの管理に関与する必要はない。
【００３４】
上述したように、この対象となるノードは、適切なスリープレベルを選択し、この選択されたレベルの識別表示を他のネットワークノードに送信する。
【００３５】
図６は、本発明の実施形態における、スリープレベル番号とその対応する要件をテーブルに示す図で、例示のスリープレベルを記述するテーブルを示している。このノードは、本発明によるエネルギー節約判断基準に基づいてスリープレベルを選択する。本発明においては、このノードのバッテリの残存容量を判断基準として使用して、スリープレベルを選択する。
【００３６】
本発明の例示の実施形態においては、５つのスリープレベルが存在しているが、さらに大きな又はさらに小さなレベル数も、ユーザの好みに応じて使用可能にすることができる。テーブル６００は、カラム６０１中に５つのスリープレベルを、カラム６０３中に各レベルの帰結を示している。「１」とラベル付けされた第１のレベルは、このノードのバッテリ電力が最高のしきい値よりも上にあるときに選択される。このレベルにおいては、このノードは、特別な考慮のない通常のノードとして取り扱うべきである。「２」とラベル付けされた第２のレベルは、このノードのバッテリ電力が、２番目に高いしきい値と最高のしきい値の間にあるときに選択される。このレベルにおいては、このノードは、従来のスリープレベルに従い（すなわち、定期的にウェイクアップ（ｗａｋｅ  ｕｐ）して、送信又は受信を行い）、制御メッセージ以外は、メッシュノードとして回避されることになる。例えば、このネットワークのステータスに関するメッセージは、とりわけそれがこのノードに影響を及ぼすので、このレベルにおいては通過させられるが、ユーザデータ（ピクチャデータ、オーディオデータ、アプリケーションデータなど）は、通過させられない。
【００３７】
「３」とラベル付けされた第３のレベルは、このノードのバッテリ電力が、３番目に高いしきい値とこの２番目のしきい値の間にあるときに選択される。このレベルにおいては、このノードは、メッシュノードとして完全に回避されることになる。したがって、このノードは定期的にウェイクアップし、それが必要とする任意のデータを他のノードに送信することができるが、制御メッセージ又は他の任意のデータを他のノードから受信しないことになる。このウェイクアップ間隔は、完全な伝送間隔の２０分の１ごとなどに標準化することができる。このスリープレベルにおいては、ビーコンなどのある種の伝送については、依然として受信される（すなわち、このノードは、たとえこのスリープ間隔が満了していない場合などにも目覚めることになる）。
【００３８】
「４」とラベル付けされた第４のレベルは、このノードのバッテリ電力が、４番目に高いしきい値とこの３番目のしきい値の間にあるときに選択される。このレベルにおいては、このノードは、ｘフレームのディープスリープ（ｄｅｅｐ  ｓｌｅｅｐ）状態にある。それによって、このノードは、ｘ番目のフレームごとにウェイクアップして、それが必要とする任意のデータを他のノードに送信するが、制御メッセージ又は他の任意のデータを他のノードから受信しないことになる。
【００３９】
「５」とラベル付けされた第５のレベルは、このノードのバッテリ電力が、最低のしきい値とこの４番目のしきい値の間にあるときに選択される。このレベルにおいては、このノードは、ｙフレームのディープスリープ状態にある。それによって、このノードは、ｙ番目のフレーム（ここでｙ＞ｘ）ごとにウェイクアップして、それが必要とする任意のデータを他のノードに送信することになるが、制御メッセージ又は他の任意のデータを他のノードから受信しないことになる。この第４及び第５のレベルに関しては、問題となるノードがスリープすることになるフレーム数を指定することが好ましい。しかし、本発明においては、このフレーム数は、標準化され、このレベルの仕様は、このフレーム数を指定する役割を果たす。
【００４０】
これらのしきい値については、ユーザの好みの問題である。しかし、本発明においては、これらのしきい値は、約２０％のごとの増分（又は他のスリープレベル数についても同様な等しい増分）に対応する。したがって、レベル１は、８０％より大きな残存バッテリ容量に対応し、レベル２は、６０％より大きな残存バッテリ容量に対応し、レベル３は、４０％より大きな残存バッテリ容量に対応し、レベル４は、２０％より大きな残存バッテリ容量に対応し、レベル５は、２０％以下の残存バッテリ容量に対応する。
【００４１】
アドホックネットワークなどのネットワークにおいては、ノード間の伝送は、直接とすることもでき、また中間ノードを利用することもできることが理解されよう。さらに、この例示のプロセスでは、接続時にスリープレベルの指示が伝送されるが、スリープレベルは、定期的に送信することもでき、またスリープレベルが変化するときしか送信しないこともできる。
【００４２】
図７は、本発明の実施形態による、残存電力容量に基づいてスリープレベルを選択するプロセスに対応するフローチャートを示す図で、残存するバッテリ寿命の減少などに応じて、このネットワークのオペレーション中にそのスリープレベルを変更するノードのプロセスについてのフローチャート７００を示している。ステップ７０１において、このノードは、その現在の電力レベル（例えば、残存するバッテリ寿命）を評価する。ステップ７０３において、このノードは、この現在の電力レベルをスリープレベルしきい値と比較する。ステップ７０５において、このノードは、この電力レベルが、どのしきい値の間に存在するかに基づいてその現在のスリープレベルを識別する。
【００４３】
ステップ７０７において、このノードは、この選択されたスリープレベルの識別表示をこのノードが現在通信中のネットワークノードに対して送信する。この対象となるノードが直接に通信中でない他のノードが存在することもあるが、１つ又は複数のこの直接の受信者がかかるノードに対してこのスリープレベル指示を転送することが好ましい。ステップ７０９において、この対象となるノード以外のネットワークノードは、将来の通信が、この選択されたスリープレベルに従ってしか行われないようにこの対象となるノードについてのスリープレベルを記録する。
【００４４】
このスリープレベル指示を伝送する方法は、本発明の上述した実施形態にとっては重要ではない。しかし、本発明のさらなる実施形態においては、２つの主要な伝送メカニズムがそれぞれ使用される。要約すれば、この第１のメカニズムは、部分時間ドメイン割付けでこのスリープレベルインジケータの伝送を実現できるようにするが、この第２のメカニズムは、部分周波数ドメイン割付けでこのスリープレベルインジケータの伝送を実現できるようにする。
【００４５】
図８は、本発明の実施形態による、スリープレベルの伝送を示すＵＷＢフレームの概略タイミング図で、部分時間ドメイン割付けにおけるスリープレベルインジケータの伝送のためのメカニズムを示しているが、このスリープレベルインジケータを伝送するための他のメカニズムも使用することができる。図８に示した概略タイミング図は、ＵＷＢ伝送におけるフレーム８００を示している。このフレームは、一般に制御データ又は管理データ、及びユーザデータを含んでいる。このフレームは、ビーコン割付け８０１から開始される。このビーコン割付け８０１を一般的に使用して、場合によっては必要に応じて他の管理情報と同様に同期情報を送信する。本発明においては、このスリープレベル指示は、ビーコン割付け８０１中に配置される。
【００４６】
ビーコン割付け８０１の後にコンテンションアクセス割付け８０３が提供される。コンテンションアクセス割付け８０３は、コンテンションベースでデータを送信するためにこの送信ノードによって使用可能である。コンテンションアクセス割付け８０３に続いては、このフレームの残り８０５には、コンテンションがない。
【００４７】
このフレームのコンテンションフリー部分（ｃｏｎｔｅｎｔｉｏｎ  ｆｒｅｅ  ｐｏｒｔｉｏｎ）８０５は、ＭＣＴＡ（ｍａｎａｇｅｍｅｎｔ  ｃｈａｎｎｅｌ  ｔｉｍｅ  ａｌｌｏｃａｔｉｏｎ；管理チャネル時間割付け）８０７、ならびにＣＴＡ（ｃｈａｎｎｅｌ  ｔｉｍｅ  ａｌｌｏｃａｔｉｏｎ；チャネル時間割付け）８０９を含んでいる。ＭＣＴＡ８０７は、非コンテンションベースで管理情報及び制御情報を送信するために使用可能である。これらのＣＴＡは、非コンテンションベースでユーザデータ（例えば、ビデオ、オーディオなど）を送信するために使用される。本発明の他の実施形態において、このスリープレベルインジケータは、ＭＣＴＡ８０７のうちの１つの中で伝送される。例えば、ビーコン割付け８０１に余分な容量が存在しないときに、これは望ましい。
【００４８】
本発明の他の実施形態においては、このスリープレベルインジケータは、部分周波数ドメイン割付けで伝送される。これが実装される例示の方法を図９に示す。
【００４９】
図９は、本発明の他の実施形態による、スリープレベルの伝送を示す周波数スペクトル図で、ＵＷＢ信号によって占められる周波数空間の割付けを示す概略周波数図である。ＵＷＢについてのＯＦＤＭ提案においては、ＵＷＢ信号９０１は、５３０ＭＨｚの幅であり、多数のチャネル９０３へと分割される。この実施形態においては、これらのチャネル９０３のうちの選択された１つのチャネル９０５を使用して、このスリープレベル情報を伝送する。
【００５０】
上述したように、本発明においては、対象となる１つのノードは、その電力レベルに基づいてスリープレベルを選択し、このスリープレベルを他のノードに送信する。このようにして、これらのネットワークデバイスは、協調して、これらのデバイスによって指示される方法で、ネットワークデバイスの電力を節約する。上述したスリープレベルは、タイプに基づいてデータを区別するが、データソース又はターゲットに基づいてはデータを区別しない。
【００５１】
本発明の他の実施形態においては、１つ又は複数のスリープレベルは、このデータのソース又はターゲットに基づいてデータを区別する。例えば、第１のスリープレベルは、すべてのデバイスに対するすべてのタイプの通信を許可することができるが、より低レベルのスリープレベルは、より近くにあるデバイスだけにこれらのソース又はターゲットを制限することができる。通信範囲（したがってＲＦ電力）の低減は、電力を節約する際にデバイスを助ける。
【００５２】
図１０は、本発明の他の実施形態における、スリープレベル番号と通信半径制限を含めてこれらの対応する要件とをテーブルに示す図で、相対的な電力レベルをスリープレベルとこれらの要件に関連づけるスリープレベルチャートを示している。レベルを増大すると、この通信半径（ｒａｄｉｕｓ  ｏｆ  ｃｏｍｍｕｎｉｃａｔｉｏｎ）は減少し、すなわち、連続するスリープレベルに関連する物理半径（ｐｈｙｓｉｃａｌ  ｒａｄｉｕｓ）は単調にインクリメントし、したがって、通信を行うために必要とされるＲＦ電力は、減少する。したがって、スリープレベル１においては、この半径は制約を受けない。スリープレベル２においては、通信は、半径ｒ１内のすべてのデバイスだけに制限される。同様に、スリープレベル３においては、通信は、ｒ２＜ｒ１の半径ｒ２内のすべてのデバイスだけに制限される。スリープレベル４においては、通信は、ｒ３＜ｒ２の半径ｒ３内のすべてのデバイスだけに制限される。最後にスリープレベル５においては、通信は、ｒ４＜ｒ３の半径ｒ４内のすべてのデバイスだけに制限される。本発明においては、この通信半径の制限は、これらのスリープレベルの小さなサブセットだけに関連することもあることを理解されたい。例えば、本発明においては、この最後の２つのスリープレベルだけが、それらに関連する通信半径の制限を有する。
【００５３】
本発明は、おそらくそうだが、ただし必ずしも従来のＰＣ又はラップトップコンピュータを含んでいるとは限らない多様なデバイスタイプから形成されるネットワークに関連して使用することができるが、本発明の様々な実施形態を実行することができる１タイプのコンピュータについての説明を次に行うことにする。必要ではないが、本発明について、コンピュータによって実行されるプログラムモジュールなどのコンピュータ実行可能命令の一般的な文脈で説明することにする。一般に、プログラムは、個々のタスクを実施し、又は個々の抽象データ型を実装するルーチン、オブジェクト、コンポーネント、データ構造などを含んでいる。本明細書中で使用している用語「プログラム」は、１つのプログラムモジュール、又は協力して動作する複数のプログラムモジュールを意味することもある。本明細書中で使用している用語「コンピュータ」及び「コンピューティングデバイス」は、ＰＣ（ｐｅｒｓｏｎａｌ  ｃｏｍｐｕｔｅｒパーソナルコンピュータ）、ハンドヘルドデバイス、マルチプロセッサシステム、マイクロプロセッサベースのプログラム可能な大衆消費電子製品、ネットワークＰＣ、ミニコンピュータ、タブレットＰＣ、ラップトップコンピュータ、マイクロプロセッサ又はマイクロコントローラを有する民生用電気製品、ルータ、ゲートウェイ、ハブなど、１つ又は複数のプログラムを電子的に実行する任意のデバイスを含んでいる。本発明はまた、分散コンピューティング環境中で使用することもでき、この分散コンピューティング環境において、タスクは、通信ネットワークを介してリンクされたリモート処理デバイスによって実施される。分散コンピューティング環境においては、プログラムは、ローカルメモリストレージデバイス中にもリモートメモリストレージデバイス中にも配置することができる。
【００５４】
図１１は、本発明の実施形態を実装するために使用可能な例示のコンピュータシステムを示す概略図である。本明細書中で説明している本発明の実施形態を実装することができるコンピュータ１１０２についての基本的な構成が示されている。その最も基本的な構成において、コンピュータ１１０２は、一般的に少なくとも１つの処理装置１１０４とメモリ１１０６を備えている。処理装置１１０４は、本発明の様々な実施形態に従って、命令を実行してタスクを実行する。かかるタスクを実行する際に、処理装置１１０４は、コンピュータ１１０２の他の部分、及びコンピュータ１１０２の外部のデバイスに対して電子信号を送信して、ある結果を引き起こすことができる。コンピュータ１１０２の厳密な構成及びタイプに応じて、メモリ１１０６は、（ＲＡＭなどのように）揮発性、（ＲＯＭやフラッシュメモリなどのように）不揮発性、又はこれら２つの何らかの組合せにすることができる。この最も基本的な構成は、図１１中に破線１１０８によって示されている。
【００５５】
コンピュータ１１０２は、追加の特徴／機能を有することもできる。例えば、コンピュータ１１０２は、それだけには限定されないが、磁気又は光のディスク又はテープを含めて、追加のストレージ（着脱可能１１１０及び／又は着脱不能１１１２）を含むこともできる。コンピュータストレージ媒体は、コンピュータ実行可能命令、データ構造、プログラムモジュール、又は他のデータを含めて、情報を記憶するための任意の方法又は技術で実装される揮発性及び不揮発性の、着脱可能及び着脱不能な媒体を含んでいる。コンピュータストレージ媒体は、それだけには限定されないが、所望の情報を記憶するために使用することができ、コンピュータ１１０２によってアクセスすることができるＲＡＭ、ＲＯＭ、ＥＥＰＲＯＭ、フラッシュメモリ、ＣＤ−ＲＯＭ、ＤＶＤ（ｄｉｇｉｔａｌ  ｖｅｒｓａｔｉｌｅ  ｄｉｓｋ；デジタル多用途ディスク）又は他の光ストレージ、磁気カセット、磁気テープ、磁気ディスクストレージ、又は他の磁気ストレージデバイス、あるいは他の任意の媒体を含んでいる。かかる任意のコンピュータストレージ媒体は、コンピュータ１１０２の一部分であってもよい。
【００５６】
コンピュータ１１０２は、それによってこのデバイスが１台（又は複数台）のリモートコンピュータ１１１６など他のデバイスと通信を行うことができるようになる通信接続１１１４も含むことが好ましい。この通信接続１１１４は、通信媒体の一実施形態である。通信媒体は、一般的に搬送波や他の搬送メカニズムなどの被変調データ信号の形で、コンピュータ読み取り可能な命令、データ構造、プログラムモジュール、又は他のデータを実施し、任意の情報配信媒体を含んでいる。実施形態として、限定するものではないが、用語「通信媒体」は、音響、ＲＦ、赤外線、及びその他の無線媒体などの無線媒体を含んでいる。本明細書中で使用している用語「コンピュータ読取り可能媒体」は、コンピュータストレージ媒体も通信媒体も共に含んでいる。
【００５７】
コンピュータ１１０２は、キーボード／キーパッド、マウス、ペン、音声入力デバイス、タッチ入力デバイスなどの入力デバイス１１１８も有することができる。ディスプレイ、スピーカ、プリンタなどの出力デバイス１１２０も含めることができる。これらのすべてのデバイスについては、当技術分野においてよく知られており、ここで長々と説明する必要はない。
【００５８】
本明細書中で引用している、出版物、特許出願、特許及び付属書類を含めてすべての参考文献は、まるで各参考文献が、参照により組み込まれるように個別に特に示されおり、本明細書中にその全体が記述されているのと同じ程度まで、参照により本明細書に組み込まれている。
【００５９】
本発明を説明する文脈中の用語、「ａ（１つの）」及び「ａｎ（１つの）」、ならびに「ｔｈｅ（この、前記）」及び同様な指示語の使用は（特に添付の特許請求の範囲の文脈においては）、他に本明細書中で示し、又は文脈によって明らかに矛盾したことを言っていない限りは、単数及び複数の両方を包含するものと解釈すべきである。用語「ｃｏｍｐｒｉｓｉｎｇ（含む、備える）」、「ｈａｖｉｎｇ（有する）」、「ｉｎｃｌｕｄｉｎｇ（含む）」、及び「ｃｏｎｔａｉｎｉｎｇ（含む）」は、他に指摘していない限り、拡張可能（ｏｐｅｎ−ｅｎｄｅｄ）な用語（すなわち、「ｉｎｃｌｕｄｉｎｇ，  ｂｕｔ  ｎｏｔ  ｌｉｍｉｔｅｄ  ｔｏ（それだけには限定されないが、含む）」）として解釈すべきである。本明細書中における値の範囲の列挙については、本明細書中に他に示していない限りは、この範囲に含まれる別々の各値を個別に言及する簡略な方法としての役割を果たすことを意図しており、別々の各値は、まるでそれが本明細書中で個別に列挙されているかのように本明細書中に組み込まれる。本明細書中で説明しているすべての方法は、本明細書中で他に示し、それとも文脈によって明らかに矛盾したことを言っていない限り、適切な任意の順序で実施することができる。本明細書中で提供される任意の実施例及びすべての実施例、又は例示の言語（例えば、「ｓｕｃｈ  ａｓ（など）」）の使用については、単に本発明をさらに良好に説明しようと意図しているにすぎず、他で請求していない限り、本発明の範囲に限定を課すものではない。本明細書中の言語は、請求していないどのような要素についても本発明の実行に必須であるとして指し示すものとは解釈すべきではない。
【００６０】
本発明の好ましい実施形態については、本発明を実行するための、本発明者らに知られている最良の態様を含めて、本明細書中で説明している。これらの好ましい実施形態の変形形態については、前述の説明を読めばすぐに当業者には明らかになろう。本発明者らは、当業者がかかる変形形態を必要に応じて使用することを予想しており、本発明者らは、本発明が本明細書中で詳細に説明されている以外の他の方法で実行されることも意図している。したがって、本発明は、適用可能な法律によって許可されるように本明細書に添付の特許請求の範囲に列挙された主題のすべての変更形態及び等価形態を含んでいる。さらに、本明細書中で示し、それとも文脈によって明らかに矛盾したことを言っていない限りは、そのすべての可能な変形形態中における前述の要素の任意の組合せも、本発明に包含される。
【図面の簡単な説明】
【００６１】
【図１】本発明の実施形態による無線デスクトップデバイスクラスタの概略図である。
【図２】本発明の実施形態によるアドホック無線大衆消費電子製品ネットワークの概略図である。
【図３】本発明の実施形態による無線ホーム娯楽ネットワークの概略図である。
【図４】本発明の実施形態を組み込むために適した例示の一般化されたコンピュータネットワーキング環境を示す概略図である。
【図５】本発明の実施形態による、ネットワーク内でスリープレベルを選択しブロードキャストするプロセスに対応するフローチャートを示す図である。
【図６】本発明の実施形態における、スリープレベル番号とその対応する要件をテーブルに示す図である。
【図７】本発明の実施形態による、残存電力容量に基づいてスリープレベルを選択するプロセスに対応するフローチャートを示す図である。
【図８】本発明の実施形態による、スリープレベルの伝送を示すＵＷＢフレームの概略タイミング図である。
【図９】本発明の他の実施形態による、スリープレベルの伝送を示す周波数スペクトル図である。
【図１０】本発明の他の実施形態における、スリープレベル番号と通信半径制限を含めてこれらの対応する要件とをテーブルに示す図である。
【図１１】本発明の実施形態を実装するために使用可能な例示のコンピュータシステムを示す概略図である。
【図１２】本発明の一実施形態による、接続モジュール及び電力管理モジュールを有するネットワークノードを示す図である。
【符号の説明】
【００６２】
１０１  プリンタ
１０３  モニタ
１０５  カメラ
１０７  ゲームコントローラ
１０９  ビデオカメラ
１１１  マウス
１１３  キーボード
１１５  タブレット
１１７  パーソナルコンピュータ
２０１  フラット画面テレビジョン
２０３  ビデオカメラ
２０５  モデム
２０７  パーソナルビデオプレーヤ
２０９  デジタルカメラ
２１１  プリンタ
２１３  パーソナルコンピュータ
３０１  テレビジョン
３０３  スピーカ
３０５  ゲーミングデバイス
３０７  マルチメディアスタック
４００  ピコネット
４０１  ＤＥＶ
１１０２  コンピュータ
１１０４  処理装置
１１０６  メモリ
１１１０，１１１２  ストレージ
１１１４  通信接続
１１１６  リモートコンピュータ
１１１８  入力デバイス
１１２０  出力デバイス
１２００  ノード
１２０１  モジュール
１２０３  電力管理モジュール
１２０５  アプリケーション
【図１】
2006203868.tif 000003
【図２】
2006203868.tif 000004
【図３】
2006203868.tif 000005
【図４】
2006203868.tif 000006
【図５】
2006203868.tif 000007
【図６】
2006203868.tif 000008
【図７】
2006203868.tif 000009
【図８】
2006203868.tif 000010
【図９】
2006203868.tif 000011
【図１０】
2006203868.tif 000012
【図１１】
2006203868.tif 000013
【図１２】
2006203868.tif 000014
【外国語明細書】
2006203868000001.pdf